(57)【特許請求の範囲】
【請求項１】
精米する所定量の玄米を玄米ホッパ（１）に対して供給し、この玄米量に応じた精米料金をコインメック（２）に供給し、精白度スイッチ（３０）を操作することで精米運転を行うコイン精米機において、
前記所定の精米料金を供給したのち袋取スイッチ（３）を操作することによって、精米後の白米を収容するための袋（４）を予め用意する袋収容ケース（５）から一枚毎取出す袋取出装置（Ｈ）を設け、
袋取スイッチ（３）による袋の提供を前記精米料金とは別に有料とし、
袋取スイッチ（３）の操作を精白度選択スイッチ（３０）の操作前、又は精米運転時に玄米ホッパ（１）に設ける玄米センサ（３２）が玄米無しを検出した後に操作可能に構成し、精米運転中の袋取スイッチ（３）の操作を規制することを特徴とするコイン精米機。
【請求項２】
袋取スイッチ（３）による袋の提供を有料、又は無料に選択設定可能に構成し、無料に設定した場合に、一定料金以上の精米料金を供給したとき、前記袋取スイッチ（３）の操作による袋の提供を可能とすることを特徴とする請求項１記載のコイン精米機。
【発明の詳細な説明】
【技術分野】
【０００１】
この発明は、コイン精米機に関する。
【背景技術】
【０００２】
コイン精米機で精米を行うときは、精白米を収容するための袋を持参して、精白米の取出を受ける状態にしておく必要がある（例えば、特許文献１参照）。
【先行技術文献】
【特許文献】
【０００３】
【特許文献１】特開２００６ー３２６４０１号公報（第１頁、図１）。
【発明の概要】
【発明が解決しようとする課題】
【０００４】
精米を行うとき、白米を受けるために袋の持参を忘れたり、持参した袋が穴が開いたり、破損する等で、使用できなくなったり、袋数が不足する等のことがある。
【課題を解決するための手段】
【０００５】
請求項１に記載の発明は、精米する所定量の玄米を玄米ホッパ（１）に対して供給し、この玄米量に応じた精米料金をコインメック（２）に供給し、精白度スイッチ（３０）を操作することで精米運転を行うコイン精米機において、前記所定の精米料金を供給したのち袋取スイッチ（３）を操作することによって、精米後の白米を収容するための袋（４）を予め用意する袋収容ケース（５）から一枚毎取出す袋取出装置（Ｈ）を設け、袋取スイッチ（３）による袋の提供を前記精米料金とは別に有料とし、袋取スイッチ（３）の操作を精白度選択スイッチ（３０）の操作前、又は精米運転時に玄米ホッパ（１）に設ける玄米センサ（３２）が玄米無しを検出した後に操作可能に構成し、精米運転中の袋取スイッチ（３）の操作を規制することを特徴とする。
【０００６】
コイン精米機を利用して精米を行う利用者は、精米を行うための所定量の玄米を玄米ホッパ１に供給して、この玄米供給量に応じた精米料金（コイン量）を、コインメック２に供給することによって、精米作用が行われる。このとき、精米された白米が白米ホッパに取出されるから、持参した空袋を白米用の袋４として白米ホッパの排出口にセットしておいて、精米中、乃至精米完了後に、この白米ホッパの白米を袋詰め収容して持ち帰る。もし、何らかの事由で、持参の袋４が使用できないときや、袋数が不足する場合には、精米機の袋収容ケース５の収容されている新しい袋４を、袋取スイッチ３を操作することによって、袋取出装置Ｈにより一枚毎取出すことができ、この取出し、乃至購入した新しい袋４を白米ホッパの排出口にのぞませて、白米を袋詰め収容して持ち帰えることができる。
【０００７】
請求項２に記載の発明は、請求項１記載の発明において、袋取スイッチ（３）による袋の提供を有料、又は無料に選択設定可能に構成し、無料に設定した場合に、一定料金以上の精米料金を供給したとき、前記袋取スイッチ（３）の操作による袋の提供を可能とすることを特徴とする。
前記のように精米利用者が袋取スイッチ３を操作することによって空袋４を一枚毎取出すことができるが、コスト面からこのような空袋の取出サービスを無制限に行わせることはできないから、前記精米料金を一定料金以上に多い額の料金（例えば、玄米１０ｋｇ当り１００円毎の単位でコインを供給して精米することができる場合に、玄米を３０ｋｇを精米するための３００円以上のコインを供給する）をコインメック２に供給して精米作用を行わせようとしたとき、すなわち、一定料金以上の精米料金を供給して比較的精米量の多い精米利用時に空袋４の取出を行い得るものとする。精米には殆ど利用しないで、単に、袋のみを取り出すような、無駄な袋４の取出をできないようにしたものである。
【発明の効果】
【０００８】
請求項１に記載の発明は、精米を受けようとする精米利用者が所定量の玄米を玄米ホッパ１に供給すると共に、この玄米量に応じた料金をコインメック２に供給した後に、袋取スイッチ３を操作して空袋４を取出すことができるため、空袋４の無駄な取出を防止することができ、精米を便利に運転利用することができる。
また、精米中の料金処理と、袋購入時の料金処理を、袋取スイッチ３の操作タイミングの制限によって区別することができ、精米機利用時の操作困惑を防止することができる。
【０００９】
請求項２に記載の発明は、袋の提供を無料に設定した時には、精米料金を一定料金以上に多い額の料金の投入時に袋取スイッチ３による操作で空袋４の袋取出装置Ｈによる取出を行わせるものであるから、袋４取出用のコインメックを設置したり、袋４取出用の特別料金を別個に供給する等の煩わしさをなくして、安全でかつ的確な袋取利用を行わせることができる。
【図面の簡単な説明】
【００１０】
【図１】コイン精米機の外壁操作壁部の正面図。
【図２】その精米機の平面図。
【図３】その精米行程を示すブロック図。
【図４】その精米制御一部のブロック図。
【図５】袋取制御のフローチャート。
【図６】一部別例を示す袋取スイッチの操作タイミングを示すフローチャート。
【図７】一部別例を示す糠室ドア部の斜視図と、その正面図。
【図８】そのドアロック制御のブロック図と、フローチャート。
【図９】その一部別例を示すドアロック制御のフローチャート。
【図１０】その一部別例を示すドアロック制御のフローチャート。
【図１１】側面から見た袋取出装置の内部を示す図
【発明を実施するための形態】
【００１１】
図面に基づいて、コイン精米機は、ハウス７の外操作壁８部に、玄米供給ホッパ１にのぞむ供給口１０や、精米操作を行う操作パネル１１、袋収容ケース５を開閉できるケース蓋１２、精米されて取出される白米を受ける白米ホッパ１３や、この白米ホッパ１３の排出口１４から取出し流出させる白米を空袋４へ収容させるための袋受ホルダ１５、及び、精米装置１６で発生した糠を袋詰して取出すためのドア１７等を配置している。この操作壁８の裏側の機械室内には、前記玄米供給ホッパ１の他に、石抜装置１８、精米装置１６、糠を袋詰収容するサイクロン２０、及びこれら各部装置間を連絡搬送する玄米揚穀機２１、精米揚穀機２２、糠搬送ダクト２３等を配置する。
【００１２】
前記玄米ホッパ１の繰出バルブ２４の駆動によって繰出される玄米を、玄米揚穀機２１で搬送して石抜装置１８へ供給し、この石抜装置１８で砂礫や、わら屑等を選別除去する。この選別した玄米のみを精米揚穀機２２で精米装置１６へ搬送して精米処理を行う。ここで精米された白米は前記白米ホッパ１３に取出して、排出口１４から取出しながら、袋詰め処理を行わせる。又、この精米装置１６で発生した糠は糠搬送ダクト２３を介してサイクロン２０に吸引搬送されて糠室２５の糠袋に収容されて、袋詰め処理することができる。
【００１３】
前記操作壁８の左右幅方向の中央部に操作パネル１１を配置している。この操作パネル１１の上部には、操作手順を説明する操作ボード２６を設け、この下側部に液晶表示のタッチパネルからなるモニタ表示器２７としての表示画面２８を設ける。更にこの下段部に精米機を駆動するための所定量のコインを供給するための所定量のコインを供給するコインメック２や、コイン返却口２９等を設けている。
【００１４】
この精米機の運転操作は、前記コインメック２に所定量のコインを供給することによって表示画面２８の操作が可能となり、表示画面２８の手順に従って手で押操作すれば良く、玄米供給ホッパ９に所定量の玄米を供給している場合は、精白度を指定する精白度スイッチ３０を押すことによって精米機が運転開始される（フローチャートのステップＳ１）。
【００１５】
操作パネル１１の裏側のコントローラ３１の入力側には、前記玄米供給ホッパ１の玄米量を検出する玄米センサ３２と、コインメック２に供給される料金のコイン量を検出する料金センサ３３、精米装置１６の精白度を決める精白度スイッチ３０、及び袋取出装置Ｈを作動させてこの取出口６から空袋４を一枚毎繰出しながら取出すことのできる袋取スイッチ３等を配置する。
【００１６】
又、このコントローラ３１の出力側には、前記繰出バルブ２４や、玄米揚穀機２１、石抜装置１８、精米揚穀機２２、精米装置１６、又はサイクロン２０等の駆動用の各電動モータＭ１〜Ｍ６を設けて駆動制御することができると共に、前記袋取出装置Ｈ、及び前記袋取スイッチ３の押しボタンを点灯させるパイロット用スイッチランプ３４を設ける。
【００１７】
ここに、精米する所定量の玄米を玄米ホッパ１に対して供給し、この玄米量に応じた精米料金をコインメック２に供給して精米を行うコイン精米機において、前記所定の精米料金を供給したのち袋取スイッチ３を操作することによって、精米後の白米を収容するための袋４を予め用意する袋収容ケース５から一枚毎取出す袋取出装置Ｈを設けた構成とする。
【００１８】
袋取出装置Ｈについて図１１に基づき説明すると、袋４を束で収容したケースの正面側に袋を寝ている姿勢で１枚ずつ排出する取出口６を形成し、取出口６をソレノイド等で開閉する開閉シャッタ４０を設ける。取出口６の近傍には袋４の束から１枚の袋４を取り出し、取出口６へ排出する駆動ローラ４１を設けている。ケースの背面側には袋の束を押す押し具４２を設け、袋４の束を駆動ローラ側に押し付ける。
【００１９】
コイン精米機を利用して精米を行う利用者は、精米を行うための所定量の玄米を玄米ホッパ１に供給して、この玄米供給量に応じた精米料金（コイン量）を、コインメック２に供給することによって、精米作用が行われる。このとき、精米された白米が白米ホッパに取出されるから、持参した空袋を白米用の袋４として白米ホッパの排出口にセットしておいて、精米中、乃至精米完了後に、この白米ホッパの白米を袋詰め収容して持ち帰る。
【００２０】
もし、何らかの事由で、持参の袋４が使用できないときや、袋数が不足する場合には、精米機の袋収容ケース５の収容されている新しい袋４を、袋取スイッチ３を操作することによって、袋取出装置Ｈにより一枚毎取出すことができ、この取出し、乃至購入した新しい袋４を白米ホッパの排出口にのぞませて、白米を袋詰め収容して持ち帰えることができる。
【００２１】
又、前記袋取スイッチ３による袋取出装置Ｈの袋取出作動を、一定料金以上の精米料金を供給したとき行わせる構成とする。
前記のように精米利用者が袋取スイッチ３を操作することによって空袋４を一枚毎取出口６から取出すことができるが、コスト面からこのような空袋の取出サービスを無制限に行わせることはできない。
【００２２】
そこで、一定料金以上の精米料金を供給して比較的精米量の多い精米利用時において空袋４の取出を行い得るものとして、精米には殆ど利用しないで、単に、袋のみを取り出すような、無駄な袋４の取出をできないようにしたものである。
【００２３】
前記のようにコインメック２に所定の料金を供給し、玄米供給ホッパ９に玄米を供給して、精白度スイッチ３０を選択して押せば、精米機の各モータＭ１〜Ｍ６が所定時間駆動されて、精米運転が行われるものであるが、前記コインメック２に対する供給料金が、例えば３００円以上であるか否かの判別が行われて（Ｓ２）、この供給料金が３００円に満たないときは、料金分の時間にわたり精米運転が行われて、この運転時間の経過によって運転が停止されるが、前記袋取スイッチ３を押しても袋取出装置Ｈは作動しないため、袋４を取出すことができない。又、この供給料金が３００円以上供給されているときは、スイッチランプ３４を点灯されるため、袋取スイッチ３を精米利用者が押操作することによって（Ｓ３）、袋取出装置Ｈ作動させて袋収容ケース５から空袋４を一枚だけ取出すことができる。このとき、この供給量金（３００円）の供給制限は、玄米ホッパ１に対して供給される玄米供給量が２０ｋｇ以下であるか、又は２０ｋｇを越えているかを問わない形態とするも可能である。
【００２４】
このように持参の袋に穴が開いて使用不可能になった場合等の非常事態の発生に便利である。又、供給する料金の額や、供給する玄米量等によって、袋４取出の可、否を決めることによって、設置者が袋４の有料、無料を選択することができ、袋取出装置Ｈの利用の安全性を確保することができる。
【００２５】
前記操作パネル１１、又はケース蓋１２に設ける袋取スイッチ３を押操作して袋４を取出すことができる形態において、この袋取スイッチ３は、前記精白度スイッチ３０を操作する前行程（Ｓ４）か、又は、玄米ホッパ１の玄米センサ３２が玄米検出状態から非検出のＯＦＦになった後に（Ｓ５）おいてでなければ、押し操作することができない形態とすることも可能である。このようにして、袋取出（袋購入）の操作を区別、制限しておくことによって、精米中の料金処理と、袋購入時の料金処理を、袋取スイッチ３の操作タイミングの制限によって区別することができ、精米機利用時の操作困惑を防止する。
【００２６】
又、前記袋取スイッチ３の点灯は、袋収容ケース５に用意されるべき空袋４が無くなった場合には、この袋取スイッチ３が点灯しないように構成することができる。この場合は、モニタ表示器２７に袋切れ等によって袋が販売できなくなった旨を表示すると一層好ましい。
【００２７】
次に、主として図７〜図１０に基づいて、コイン精米機の糠取出のできる形態とする。精米ハウス７は、前記精米装置１６等を配置する機械室３５と、糠室２５を構成し、このハウス前面には、機械室３５用のドア３６と、糠室２５用のドア１７を設け、この糠室２５用のドア１７の開閉にロック機構３７を設ける。このロック機構３７は、ソレノイド３８を有して作動され、精米利用者が精米料金を供給して精米を行ったのちに、糠取出スイッチ３９を押すことによってロック解除して（Ｓ６）、糠の取出を可能とする。この糠取出スイッチ３９は、前記操作パネル１１の一部、乃至糠室ドア１７の近傍位置に設置することができる。
【００２８】
このような糠室ドア１７のロック機構３７におけるロック解除を、前記精白度スイッチ３０を押して白度選択する前行程において、前記糠取出スイッチ３９を押すこと（Ｓ６）、及び、精白度スイッチ３０を押した後は精米終了するまで糠室ドア１７のロック機構３７はロック状態を維持して解除しない（Ｓ７）構成とすること等によって、精米中は糠室ドア１７を閉めた状態として、精米終了後に糠を取出すときにおいて、前記糠取出スイッチ３９を押しておくことによって、精米作用完了後にロック解除されて（Ｓ８）、この糠室ドア１７を開くことができ、安全で、精米作用中の糠を室外へ飛散させないようにして、汚れのない糠取を行わせることができる。従って、糠室ドア１７には開閉の状態を検出するセンサを設け、糠室ドア１７が開状態にあるときは、精白度スイッチ３０による白度選択ができない構成とし、白度選択後は精米終了まで糠室ドア１７をロックする。
【００２９】
更には、前記精米料金と、玄米ホッパ１に対する玄米の供給を行ったことを条件（Ｓ９）として、糠取出スイッチ３９を押すことができず、精米中は糠室ドア１７を開けないようにロックする形態とすることができる。即ち、コインメック２に所定の精米料金を供給し、かつ、精米のための玄米を玄米ホッパ１に供給しないと、糠取出スイッチ３９をＯＮ操作することができない。
【符号の説明】
【００３０】
１  玄米ホッパ
２  コインメック
３  袋取スイッチ
４  袋
５  袋収容ケース
Ｈ  袋取出装置
【図１】
0005640499.tif 000002
【図２】
0005640499.tif 000003
【図３】
0005640499.tif 000004
【図４】
0005640499.tif 000005
【図５】
0005640499.tif 000006
【図６】
0005640499.tif 000007
【図７】
0005640499.tif 000008
【図８】
0005640499.tif 000009
【図９】
0005640499.tif 000010
【図１０】
0005640499.tif 000011
【図１１】
0005640499.tif 000012